(57)【要約】【課題】経路誘導装置にて地図上の地点を示すための地点情報等を自在に追加し、修正する。【解決手段】コンピュータは、地点情報の位置を画面に表示された地図上に表示し、地図上に表示している位置に対して修正された位置を指定するユーザ操作を受け付け、修正された位置を前記地点情報と対応付けて設定する。【選択図】図１
2010066228.tif 000002
【特許請求の範囲】
【請求項１】
コンピュータが、
地点情報の位置を画面に表示された地図上に表示するステップと、
前記地図上に表示している位置に対して修正された位置を指定するユーザ操作を受け付けるステップと、
前記修正された位置を前記地点情報と対応付けて設定するステップと、を実行するデータ作成方法。
【請求項２】
前記地点情報の位置または修正された位置に表示されるべき画像記号の指定を受け付けるステップと、
前記画像記号を前記地点情報と対応付けて設定するステップと、をさらに実行する請求項１に記載のデータ作成方法。
【請求項３】
前記地点情報は、初期状態のデータとして前記コンピュータに格納されている標準地点情報と、前記コンピュータ上の処理によって追加された追加地点情報とを含み、
前記コンピュータが、
前記追加地点情報を暗号化するステップと、
前記暗号化された追加地点情報と前記追加地点情報の位置または修正された位置に表示されるべき画像記号とを記憶媒体に格納するステップと、をさらに実行する請求項２に記載のデータ作成方法。
【請求項４】
コンピュータに、
地点情報の位置を画面に表示された地図上に表示するステップと、
前記地図上に表示している位置に対して修正された位置を指定するユーザ操作を受け付けるステップと、
前記修正された位置を前記地点情報と対応付けて設定するステップと、を実行させるためのプログラム。
【請求項５】
前記地点情報の位置または修正された位置に表示されるべき画像記号の指定を受け付けるステップと、
前記画像記号を前記地点情報と対応付けて設定するステップと、をさらに実行させるための請求項４にプログラム。
【請求項６】
前記地点情報は、初期状態のデータとして前記コンピュータに格納されている標準地点情報と、前記コンピュータ上の処理によって追加された追加地点情報とを含み、
前記コンピュータに、
前記追加地点情報を暗号化するステップと、
前記暗号化された追加地点情報と前記追加地点情報の位置または修正された位置に表示されるべき画像記号とを記憶媒体に格納するステップと、をさらに実行させるための請求項５に記載のプログラム。
【発明の詳細な説明】
【技術分野】
【０００１】
本発明は、経路誘導装置に係る技術、特に経路誘導装置によって経路誘導される候補地点となる地点情報の作成および利用に係る技術に関する。
【背景技術】
【０００２】
カーナビゲーションシステム等の経路誘導装置は、通常、着脱可能な記憶媒体へのアクセス装置を有している。そして、経路誘導装置は、そのような記憶媒体から地図データ、地図上の地点を示す地点データ等を読み出し、経路誘導の目的地とする。
【特許文献１】特開２００２−３５０１５５号公報
【発明の開示】
【発明が解決しようとする課題】
【０００３】
しかし、従来の技術では、経路誘導装置のメーカ、あるいは、地図データ、地図上の地点を示す地点情報等を記憶した記憶媒体のベンダ、さらには、そのようなデータのベンダ等が記録媒体に記録されるデータを改訂し、配布していた。
【０００４】
そのため、上記データの配布を受けるユーザは、経路誘導装置内の地点情報等を更新、あるいは追加することができなかった。また、メーカあるいはベンダがリリースするデータは、そのメーカあるいはベンダのユーザに共通に利用可能なデータであるため、個々のユーザの個別事情を反映したデータが提供されることはなかった。
【０００５】
そこで、本発明の課題は、経路誘導装置のユーザが、地図上の地点を示す地点情報等を自在に追加し、あるいは修正し、経路誘導装置にて利用することができる技術を提供することにある。
【課題を解決するための手段】
【０００６】
本発明は前記課題を解決するために、以下の手段を採用した。すなわち、本発明の一態様は、コンピュータが実行するデータ作成方法として例示できる。この方法では、コンピュータは、地点情報の位置を画面に表示された地図上に表示し、地図上に表示している位置に対して修正された位置を指定するユーザ操作を受け付け、修正された位置を地点情報と対応付けて設定する。このような方法にしたがい、上記操作を行うことによって、ユーザは、画面に表示された地点情報の位置を修正できる。
【０００７】
この方法では、さらに、コンピュータが、地点情報の位置または修正された位置に表示されるべき画像記号の指定を受け付け、その画像記号を地点情報と対応付けて設定するようにしてもよい。したがって、ユーザは、修正した地点に所望の画像記号が表示されるように指定できる。
【０００８】
また、地点情報は、初期状態のデータとしてコンピュータに格納されている標準地点情報と、コンピュータ上の処理によって追加された追加地点情報とを含み、
コンピュータが、追加地点情報を暗号化し、暗号化された追加地点情報と追加地点情報の位置または修正された位置に表示されるべき画像記号とを記憶媒体に格納するようにしてもよい。したがって、コンピュータ上の処理で追加された地点情報を他の装置、例えば、その記憶媒体のデータを読み出すことが可能な装置に引き渡すことができる。その場合に、追加された地点情報が暗号化されているので、媒体が紛失され、または盗難にあった場合も、地点情報の外部への漏洩の可能性を低減できる。
【発明の効果】
【０００９】
本発明によれば、経路誘導装置のユーザが、地図上の地点を示す地点情報等を自在に追加し、あるいは、修正することができる。
【発明を実施するための最良の形態】
【００１０】
以下、図面を参照して本発明を実施するための最良の形態（以下、実施形態という）に係る経路誘導先データ管理システム（以下、単にデータ管理システムという）について説明する。以下の実施形態の構成は例示であり、本発明は実施形態の構成には限定されない。
【００１１】
（システムの概要）
図１に、本データ管理システムの構成を例示する。本データ管理システムは、ナビゲーション装置１と、ナビゲーション装置１に提供するデータを作成するデータ処理装置１００とを含む。なお、ナビゲーション装置としては、例えば富士通テン株式会社のＡＶＮ（登録商標。Ａｕｄｉｏ  Ｖｉｓｕａｌ  Ｎａｖｉｇａｔｉｏｎ）等の車載用ナビゲーション装置がある。但し、本発明は、例えば携帯型のナビゲーション機能を有する電子機器等、車載して利用できるものであれば如何なる電子機器にも適用可能である。
【００１２】
ナビゲーション装置１は、２ＤＩＮ（Ｄｅｕｔｓｃｈｅ  Ｉｎｄｕｓｔｒｉｅ  Ｎｏｒｍｅｎ）の本体・モニタ一体型カーナビゲーション装置であり、車両の現在地や目的地までの経路の案内等を行うカーナビゲーション機能や、各種オーディオ／ビジュアル（以下、ＡＶという）コンテンツの再生機能、放送波を受信する機能等を有している。ナビゲーション装置１は、運転席や助手席の乗員の手が届きやすいダッシュボードの中央付近に設置された状態で使用されるものであり、メインユニット２とディスプレイユニット３とで構成されている。
【００１３】
一方、データ処理装置１００は、通常、企業の営業所等に設置され、その企業が、ナビゲーション装置１を使用するときに使用される独自のデータ作成に使用される。通常、ナビゲーション装置１には、ナビゲーション装置１の製造販売業者から、地図データ、地点（ＰＯＩ：Ｐｏｉｎｔ  Ｏｆ  Ｉｎｔｅｒｅｓｔともいう）のデータ、地図上のアイコンのデータ、ナビゲーション装置１を起動したときに表示される各種画面データ等のデータが提供される。
【００１４】
作成されたデータは、メモリカードを介してナビゲーション装置１に読み込まれる。なお、本実施形態においては、作成されたデータを、メモリカードを介してナビゲーション装置１に読み込ませるが、メモリカードの代えて、ハードディスクドライブにデータを記憶させ、これを通信手段（例えば、インターネット網）を介してナビゲーション装置に転送するようにしてもよい。ナビゲーション装置１がインターネット網との接続機能を有していない場合、携帯端末によってデータを受信し、これを例えば、赤外線通信等の無線通信手段を利用してナビゲーション装置１に再転送すればよい。
【００１５】
しかしながら、企業がナビゲーション装置１を使用する場合に、製造販売業者から提供されるデータ以外に、独自のデータを追加したい場合がある。例えば、レンタカー会社のレンタカーにナビゲーション装置１を搭載する場合、ナビゲーション装置１が起動されたときに、そのレンタカー会社特有のオープニング画面を表示したいという要請がある。また、そのとき、そのレンタカー会社が、レンタカーのユーザに読ませたい利用規約、各種お知らせメッセージを表示したいという要請がある。さらに、そのレンタカー会社が営業している地域特有の観光スポットに関する情報をナビゲーション装置１にて、経路誘導時に表示したいという要請がある。その場合に、例えば、その観光スポットに対して、そのレンタカー会社特有のアイコン、あるいは、その地域特有のアイコンを表示して、レンタ
カーのユーザの便宜を図りたいとの要請もある。例えば、観光スポットがテーマパークのような広範囲に拡がりを持つものであって、標準的な地点情報では、テーマパークの中心位置に経路誘導されることになる。しかし、レンタカーのユーザについては、むしろテーマパークの駐車場に誘導する方が望ましい。さらに、そのレンタカーの返却先をナビゲーション装置１にて経路誘導の対象としたいという要請もある。その場合に、返却先の駐車場の地点を地図上で正確に設定したいという要請もある。
【００１６】
また、その企業が、多数の固定の訪問先を抱えている場合に、その訪問先の地点をナビゲーション装置１にて経路誘導の対象としたいという要請がある。特に、その訪問先が転居したような場合に、迅速に、その訪問先の地点に関する情報を更新したいという要請がある。
【００１７】
本データ管理システムは、以上のような要請に応える機能を提供する。データ処理装置１００は、企業の営業所等に設置され、企業の担当者によって、上記独自のデータを作成するための使用される。作成されたデータは、メモリカードを介して、ナビゲーション装置１に、入力される。
【００１８】
ナビゲーション装置１は、メモリカードから入力されたデータを読み出し、その起動時、あるいは、経路誘導時に、使用する。ユーザが、住所検索機能によって、経路誘導先の地点を検索する場合に、データ処理装置１００によって、追加された地点も、住所検索の対象とすることができる。また、ユーザが現在地周辺の観光スポット一覧、施設一覧を表示した場合に、データ処理装置１００によって、追加された地点も、観光スポット一覧、施設一覧に表示できる。また、ユーザが、検索された住所、観光スポット、あるいは、施設への経路誘導等で、データ処理装置１００によって設定されたデータによる地点を目的地に設定した場合も、ナビゲーション装置１は、メーカあるいはベンダから提供されたデータによる地点と同様、ユーザを誘導する。
【００１９】
したがって、本データ管理システムを用いることによって、企業は、ユーザ、例えば、レンタカーのユーザ、あるいは、企業の従業員に、きめ細かな地点情報、最新の地点情報を用いて、車両を利用させることができる。以下、車両に搭載されたナビゲーション装置１を使用して、車両を運転するナビゲーション装置１の利用者を単にユーザという。一方、ナビゲーション装置１をメーカから購入し、車両にナビゲーション装置１を搭載し、ユーザに利用させる企業、組織を利用者企業という。
【００２０】
（データ処理装置の例）
〔データ処理装置のハードウェア構成〕
次にデータ処理装置１００について説明する。図２に、データ処理装置１００のハードウェア構成を例示する。この情報処理装置１００は、例えば、パーソナルコンピュータと、パーソナルコンピュータで実行されるコンピュータプログラムによって実現される。また、この情報処理装置１００は、複数のパーソナルコンピュータにサービスを提供するサーバ上のプログラムとして実現してもよい。また、本情報処理装置１００は、複数のコンピュータが連携して機能を提供するコンピュータシステムとして実現してもよい。例えば、１以上のデータベースサーバと、１以上のシミュレータと、１以上のウェブサーバとによって、情報処理装置１００を実現してもよい。
【００２１】
図２のように、本情報処理装置１００は、ＣＰＵ１０１と、メモリ１０２と、各種インターフェース１０３、１０５、１０７、１０９、１１１、１１３と、これらのインターフェースを通じてＣＰＵ１に接続される周辺装置とを含む。図２では、周辺装置の例として、ハードディスク１０４，入力装置１０６、表示装置１０８、ネットワークインターフェース１１０、着脱可能記憶媒体駆動装置１１２、およびメモリカード・リーダ・ライタ１
１７が示されている。
【００２２】
ＣＰＵ１０１は、メモリ１０２に展開されたプログラムを実行し、情報処理装置１００の機能を提供する。メモリ１０２は、ＣＰＵ１０１が実行可能な形式でプログラムを保持する。また、メモリ１０２は、ＣＰＵ１０１が処理するデータを保持する。メモリ１０２は、ＤＲＡＭ（ダイナミックランダムアクセスメモリ）、ＲＯＭ（リードオンリーメモリ）等である。ただし、メモリ１０２として、フラッシュメモリを用いてもよい。
【００２３】
ハードディスク駆動装置１０４は、ハードディスクにアクセスし、ＣＰＵ１０１が処理したデータ、ＣＰＵ１０１で実行されるプログラム等を記憶する。入力装置１０６は、例えば、キーボード等の文字入力装置、マウス等のポインティングデバイスなどである。表示装置１０８は、例えば、液晶ディスプレイ、エレクトロルミネッセンスパネル等である。
【００２４】
ネットワークインターフェース１１０は、例えば、ＬＡＮ（ローカルエリアネットワーク）基板である。着脱可能媒体駆動装置１１２は、例えば、ＣＤ−ＲＯＭ、ＤＶＤ、フラッシュメモリカード等の駆動装置である。なお、ＣＰＵ１０１で実行されるプログラムは、通常、ネットワークインターフェース１１０、あるいは、着脱可能記憶媒体駆動装置１１２を通じて、ハードディスクに保存され、メモリ１０２に展開される。メモリカード・リーダ・ライタ１１７は、ＣＰＵ１０１の指令にしたがい、装着されたメモリカードとＣＰＵ１０１との間で、データを入出力する。
【００２５】
〔データ処理装置の画面例〕
図３および図４によって、データ処理装置１００が、表示装置１０８に表示する画面例を説明する。図３は、メモリカードに書き込む地点情報を管理する地点情報管理画面２００の表示例である。図３では、地点情報管理画面２００に加えて、さらに、編集入力画面２５０が地点情報管理画面２００の下方に表示されている。
【００２６】
地点情報管理画面２００は、メニューバー２０２と、タブ表示部２０３と、リスト表示欄２０６と、リスト表示欄２０６を操作する操作ボタン列２０４とを含んでいる。リスト表示欄２０６には、データ処理装置１００で管理されている地点情報の一覧が表示される。これらの地点情報は、入力装置１０６（例えば、キーボード）から、マニュアル操作で入力することができる。また、これらの地点情報は、ネットワークインターフェース１１０あるいは着脱可能記憶媒体駆動装置１１２を通じて、外部からｃｓｖ（Comma Separated Value format）ファイルの形式で入力データ処理装置１００に入力することもできる。
【００２７】
リスト表示欄２０６に示されているように、本実施形態において地点情報は、書き込みフラグ、名前、よみ、都道府県、市町村１、市町村２、町域、丁目、戸番、電話番号、アイコン、ジャンル、タイプ、変換の各フィールドを有している。ここで、本実施形態では、リスト表示欄２０６の各フィールドに表示されるそれぞれの内容を要素、あるいは項目という。なお、データ処理装置１００が、ハードディスク上に有する地点情報ファイルの構造も、リスト表示欄２０６に表示された地点情報の構成と同様である。リスト表示欄２０６の１つの行が、１つの地点情報を表示している。
【００２８】
書き込みフラグのフィールド（図３では、チェックボックスが表示されている）には、その地点情報が、メモリカードへの書き込み対象であるか否かを指定する。本データ管理装置では、メニューバー２０２のファイルメニューからプルダウンメニューを表示し、「メモリカードへ書き込む」というメニュー項目を実行すると、メモリカードへの書き込みが実行される。このとき、リスト表示欄２０６に表示された地点情報のうち、書き込みフラグにチェックマーク（書き込み指定）がされている地点情報が、メモリカードに書き込
まれる。
【００２９】
名前は、地点の名称である。名前は、ユーザが、地点を認識するための識別情報として用いられる。例えば、地点がユーザ個人の自宅の場合、あるいは、ユーザである営業担当者が巡回する個人の自宅の場合である。ただし、名前は、地点に位置する施設の名称ということもできる。例えば、「ラーメントン」というラーメン店、「Ｏ動物園」という名称の動物園、企業の営業所の名称等である。
【００３０】
よみは、名称の読みをひらかなで表した文字列である。都道府県は、その地点が位置する都道府県である。市町村１には、市町村名を設定する。市町村２には、区が存在する場合に、区の名称を設定する。町域は市町村内に、さらに町名あるいは地区名がある場合に、その名称を設定する。丁目および戸番には、丁目および番地等を設定する。電話番号には、その地点の施設に電話がある場合に、その電話番号を設定する。
【００３１】
アイコンは、その地点の位置を画面に表示する画像記号（グラフィックオブジェクトともいう）である。アイコンが表示される地図上の位置は、地点の緯度、および経度で指定される。地点情報が、ナビゲーション装置１に書き込まれ、その地点に経路誘導される場合に、アイコンが表示される地図上の位置が、経路誘導の目的地となる。リスト表示欄２０６のアイコンのフィールドには、その画像記号が縮小して表示される。このアイコンの画像は、データ処理装置１００が提供するアイコンのリストから選択することができる。データ処理装置１００が提供するアイコンには、本データ管理システムを提供する製造販売者から提供されるサンプルのアイコンと、ユーザが独自に作成するアイコンとが含まれる。ユーザは、例えば、ビットマップエディタ、あるいは画像作成ツールを使用して、所望のアイコンのビットマップ画像を作成し、ユーザ所望の格納場所、例えば、ハードディスク上のフォルダに格納できる。ビットマップエディタ、画像作成ツール等の構成およびオペレーション手順は、周知であるので、その説明を省略する。
【００３２】
ジャンルは、その地点情報が示す地点あるいは地点に位置する施設を分類する分類区分を示す情報である。ジャンルは、例えば、飲食店、動物園、水族館、テーマパーク、コンビニエンスストア、ガソリンスタンド、ゴルフ場等である。
【００３３】
タイプは、地点情報が、組織間で共通に利用されるデータか、組織個別に使用するデータかを示す。組織とは、例えば、１つの企業である。すなわち、「個別」の場合には、当該企業だけでプライベートに利用されるデータであることを示す。個別のデータには、例えば、企業の訪問先、営業所、レンタカーの返却先等を例示できる。
【００３４】
なお、タイプは、企業内の組織で使い分けるようにしてもよい。例えば、共通は、企業内の共通のデータを意味し、個別とは、企業内組織、例えば、営業所個別のデータを指定するようにしてもよい。変換は、住所、すなわち、都道府県、市町村１、市町村２、丁目、および戸番のデータから緯度、経度に変換を試みた結果、すなわち、変換の可否が示される。
【００３５】
タブ表示部２０３には、表示するデータを選択するためのタブが表示される。例えば、営業所データというラベルの付されたタブによって、営業所データをリスト表示欄２０６に表示することができる。また、施設データいうラベルの付されたタブによって、施設データをリスト表示欄２０６に表示することができる。また、オープニング画というタブによって、ナビゲーション装置１で表示させたいオープニング画面の編集画面が表示される。オープニング画面の編集画面では、オープニング画面上のグラフィックオブジェクト（図形パターン）の編集、文字列のレイアウトの設定、文字列の編集等の機能が提供される。さらに、利用規約というタブによって、ナビゲーション装置１で表示させたい利用規約
の文章を編集する編集画面が表示される。
【００３６】
操作ボタン列２０４には、リスト表示欄２０６に表示された地点情報に対する機能を実行する操作ボタンが定義されている。例えば、全選択ボタンを入力装置６のマウスで押下することによって、リスト表示欄２０６に表示されたすべての地点情報のチェックボックスにチェックマーク（メモリカードへの書き込み対象であることを示すマーク）が設定される。逆に、全解除ボタンを押下することによって、すべてのチェックマークが解除される。
【００３７】
また、新規登録ボタンを押下すると、リスト表示欄２０６の末尾に、空データの行が追加され、その追加された行が選択状態になる。そして、地点情報管理画面２００の下方に編集入力画面２５０が表示され、新たな地点情報を入力することが可能な状態となる。このようにして、ユーザは、自在に、営業所の地点情報、施設の地点情報を追加、変更可能となる。
【００３８】
ただし、ユーザが、メニューバー２０２のファイルメニューから、「ｃｓｖデータインポート」というメニュー項目を実行することで、外部のｃｓｖファイルを地点情報管理画面２００の管理対象として読み込むことができる。また、地点情報管理画面２００で管理している地点情報をｃｓｖファイルに出力するためには、ユーザは、メニューバー２０２のファイルメニューから、「ｃｓｖデータエクスポート」というメニュー項目を実行すればよい。
【００３９】
編集メニュー表示というラベルが記載されたチェックボックスには、編集メニューを表示するか、否かの指定をする。このチェックボックスにチェック（表示指定）がされていると、地点情報管理画面２００の下方に編集入力画面２５０が表示される。
【００４０】
ジャンル絞り込みというラベルの付されたリスト表示部（以下、ジャンル指定部）には、現在、地点情報に付与可能なジャンルが表示される。ユーザが、ジャンル指定部に、リスト項目から選択されたジャンルを設定することで、リスト表示欄２０６に表示するジャンルを絞りこむことができる。
【００４１】
次に、編集入力画面２５０について、説明する。編集入力画面２５０には、リスト表示欄２０６で指定された１つの行に対応する地点情報を構成する要素およびその地点の座標（緯度および経度）を含む地図が表示される。編集入力画面２５０の地点情報の要素を表示するフィールドは、それぞれキーボード等によって編集可能となっている。さらに、編集入力画面２５０には、様々な機能を起動するボタンが配置されている。
【００４２】
ジャンル追加というラベルが付されたボタンによって、ジャンル情報の編集画面が起動される。ジャンル情報の編集画面により、新たなジャンルを示す文字列を定義できる。
【００４３】
地図表示欄２０８には、現在編集中の地点の座標を含む地図が表示される。この地図上で、地点の座標の位置には、位置表示マーク２１０が表示される。地点情報がナビゲーション装置１に引き渡されると、この位置表示マーク２１０に、その地点のアイコンが表示される。また、拡大ボタン、縮小ボタン、あるいは拡大ボタンと縮小ボタンの間に設けられたスライダーを操作することで、表示する地図の縮尺を変更できる。
【００４４】
座標編集というラベルが付されたボタンによって、座標編集画面３００が起動され、座標を変更することができるようになる（図４参照）。決定ボタンによって編集入力画面２５０の地点情報の内容が保存される。リセットボタンによって、現在編集中の編集入力画面２５０の地点情報がクリアされる。
【００４５】
図４に、座標編集画面３００の表示例を示す。座標編集画面は、地点情報の住所に該当する位置の緯度と経度とを設定する画面である。データ処理装置１００は、図示しない住所データベースをハードディスク上に有している。住所データベースには、住所と、その住所に対応する座標（緯度と経度）が定義されている。したがって、住所が確定すれば、住所データベースを検索し、その住所が定義されていれば、座標を確定できる。しかしながら、住所データベースに定義された座標は、標準的な位置を示すため、そのような標準的な座標以外の座標を経路誘導先としたい場合がある。例えば、テーマパークの住所に対して、座標として、そのテーマパークの駐車場入り口を設定したい場合である。
【００４６】
また、地点情報として、住所データベースに定義されていない地点を設定したい場合がある。住所データベースに定義されていない地点については、緯度と経度を確定できないので、データ処理装置１００は、ユーザの入力によって、地図を表示すべき位置を確定する。ただし、情報処理装置１００は、その住所と共通の文字列が最も多く含まれる住所で、住所データベースから最初に検索された住所の座標を住所データベースに定義されていない地点の座標として仮表示するようにしてもよい。これらの場合に、ユーザは、座標編集画面３００で該当する地図上の位置を選択することで、その地点の座標を設定できる。
【００４７】
図４のように、座標編集画面３００は、入力住所表示欄３０２、マップ表示住所指定欄３０４、「周辺住所へ」ボタン３０６、および地図表示欄３０８を有している。このうち、入力住所表示欄３０２には、編集入力画面２５０に表示されていた住所がそのまま表示される。
【００４８】
また、マップ表示住所指定欄３０４には、地図表示欄３０８に表示すべき住所を設定する。デフォルトでは、マップ表示住所指定欄３０４には、入力住所表示欄３０２と同一の住所が表示される。マップ表示住所指定欄３０４のフィールドは、編集可能である。
【００４９】
地図データ表示欄３０８には、マップ表示住所指定欄３０４に指定された住所の地図が表示される。「住所周辺へ」ボタン３０６を押下することで、マップ表示住所指定欄３０４に指定した住所周辺の地図が地図表示欄３０８に表示される。
【００５０】
また、ユーザは、地図上で、入力装置１０６のポインティングデバイスによって、位置表示マーク３１１を移動することによって、地点に該当する座標を変更することができる。また、地図データ表示欄３０８には、緯度経度表示欄３１０が設けられ、位置表示マーク３１１の位置での緯度と経度が表示される。さらに、拡大ボタン、縮小ボタン、およびスライダーの機能は、図３と同様である。さらに、確定ボタンの押下によって、編集した座標がマップ表示住所指定欄３０４に表示されている住所等の地点情報と対応付けて保存され、座標編集画面３００が閉じられる。また、キャンセルボタンの押下によって座標編集画面３００の内容が破棄され、座標編集画面３００が閉じられる。
【００５１】
図５に、メモリカードに書き込まれる地点情報の例を示す。データ処理装置１００で作成される地点情報は、本データ管理システムの製造販売業者がメモリカードで提供するメモリカードに追加書きされる、利用者企業独自のデータである。メモリカードには、本データ管理システムの製造販売業者が提供する地図データ、および地点情報（以下、標準ＰＯＩデータ、標準地点情報ともいう）が格納されている。しかしながら、この地点情報は、本データ管理システムの供給先に共通な、いわば、標準の地点情報である。利用者企業は、データ処理装置１００の機能を実行し、利用者企業独自の地点情報（以下、追加ＰＯＩデータ、追加地点情報ともいう）を追加したり、標準ＰＯＩデータであっても、地図上に表示する地点情報の位置を変更したりする。このような追加の地点情報には、例えば、営業所データ、企業の訪問先データ、レンタカーのための施設データ等が含まれる。  図
５のように、地点情報は、図３のリスト表示欄２０６と同様、名前、よみ、都道府県、市町村１、市町村２，町域、丁目、戸番、電話番号、ジャンル名、緯度、経度を有している。これらの各要素については、図３で説明済みである。ただし、追加の地点情報が営業所データの場合には、ジャンルは設定されず、空欄である。これらうち、緯度、経度をＰＯＩデータともいい、緯度、経度以外をＰＯＩ詳細データともいう。
【００５２】
また、本データ管理システムでは、メモリカードの盗難による個人情報の漏洩防止のため、追加の地点情報は、暗号化して、メモリカードに格納される。一方、地図データや標準ＰＯＩデータは暗号化されずに、メモリカードに格納されている。この追加ＰＯＩデータは、ナビゲーション装置１に読み込まれたときに復号化され、ナビゲーション装置１の内蔵メモリ（図９の内蔵フラッシュＲＯＭ２６）に格納される。
【００５３】
すなわち、メモリカード内には、標準ＰＯＩデータ格納領域と、追加ＰＯＩデータ格納領域がそれぞれ設けられている。一方、データ処理装置１００のハードディスク上には、標準ＰＯＩデータを格納する標準ＰＯＩデータフォルダと、追加ＰＯＩデータを格納する追加ＰＯＩフォルダが設けられている。なお、フォルダ（ディレクトリ）を分ける代わりに、標準ＰＯＩデータと、追加ＰＯＩデータとを、それぞれ異なるファイルに格納するようにしてもよい。また、標準ＰＯＩデータと、追加ＰＯＩデータとを同一ファイルに格納し、それらの区分を示すフラグを設けてもよい。
【００５４】
〔データ処理装置の処理フロー〕
図６に、データ処理装置１００による、地点情報の追加修正処理の処理フローを例示する。この処理では、まず、データ処理装置１００は、地点情報の新規の入力または地点情報の修正を受け付ける（Ｓ１０１）。すなわち、新規入力の場合、データ処理装置１００は、地点情報管理画面２００にて、新規登録ボタンの押下を検知すると、編集入力画面２５０を表示し、地点情報のうち文字列データ（名称、住所等）の入力を受け付ける。なお、地点情報の文字列データを構成する名称、住所等は、ｃｓｖファイルの形式で複数一括して入力することもできる。ｃｓｖファイルの形式で複数一括して入力された地点情報は、画面上にリスト表示される。ユーザが、リスト上の項目を選択することで、１つの地点情報が受け付けられる。また、標準ＰＯＩデータ等、既存の地点情報を修正する場合は、リスト表示部２０６に表示されている地点情報から１つを選択することで、その地点情報の文字列データ（名称、住所等）が編集入力画面２５０に表示される。
【００５５】
次に、データ処理装置１００は、入力または表示された地点情報（またはリストから選択された地点情報）の座標を含む地図を表示する（Ｓ１０２）。すなわち、入力または表示された地点情報の住所を基に、住所データベースから緯度と経度を検索できた場合には、その緯度と経度を含む地図が表示される。また、入力または表示された地点情報の住所を基に、住所データベースから緯度と経度を検索できない場合には、地図は表示されない。この場合には、データ処理装置１００は、ユーザにマニュアル操作で、地図上の位置を指定するように促す。そして、データ処理装置１００は、ユーザがマニュアル指定した地点を含む地図を表示する。ただし、その住所を表す文字列と最も多く文字列が一致する住所で、住所データベースにて最初に検索された住所の緯度と経度を基に、地図を表示してもよい。
【００５６】
次に、データ処理装置１００は、ユーザの操作にしたがって、座標編集を行うか否かを判定する（Ｓ１０３）。編集入力画面２５０にて、ユーザが、座標編集ボタンを押下すると、座標編集を行うと判断される。座標編集（図７参照）が終了した後、あるいは、座標編集をしないと判断された場合、データ処理装置１００は、その地点に表示すべきアイコンの指定を受け付ける（Ｓ１０５）。アイコンは、アイコンのリストから選択される。また、ユーザがビットマップエディタでアイコンを新規に追加することもできる。この処理
によって、地図上で座標編集前の初期状態の位置（緯度と経度）または、座標編集後の位置に表示されるべきアイコンが、地点情報と対応付けて設定される。
【００５７】
次に、データ処理装置１００は、地点情報およびアイコンの画像をハードディスク上のファイルに出力する（Ｓ１０６）。このとき、地点情報の座標が座標編集処理によって追加、あるいは変更されている場合には、追加あるいは変更された座標がファイルに出力される。
【００５８】
図７に、座標編集処理（図６のＳ１０４）の詳細を例示する。この処理では、データ処理装置１００は、図４に示すように、画面に、住所および該当する地図を表示する（Ｓ１０４１）。そして、データ処理装置１００は、ユーザの操作を待つ（Ｓ１０４２）。ユーザの操作があると、データ処理装置１００は、その操作が、マップの移動であるか否かを判定する（Ｓ１０４４）。ユーザによってマップの移動操作がなされた場合、データ処理装置１００は、移動した位置での地図を表示する（Ｓ１０４５）。そして、データ処理装置１００は、処理状態をＳ１０４２に戻す。
【００５９】
また、ユーザの操作がマップの移動でない場合、データ処理装置１００は、ユーザの操作が、位置表示マーク３１１（図４）の移動であるか否かを判定する（Ｓ１０４６）。ユーザによって位置表示マーク３１１の移動操作がなされた場合、データ処理装置１００は、位置表示マーク３１１を地図上で移動後の位置に移動するとともに、移動後の位置表示マーク３１１が示す緯度と経度を算出する（Ｓ１０４７）。そして、データ処理装置１００は、処理状態をＳ１０４２に戻す。
【００６０】
また、ユーザの操作が位置表示マークの移動でない場合、データ処理装置１００は、ユーザの操作が終了の指示であるか否か、すなわち、確定ボタン（図４）が操作されたか否かを判定する（Ｓ１０４８）。ユーザによって終了の指示操作がなされた場合、データ処理装置１００は、Ｓ１０４７で算出された位置情報、すなわち、緯度と経度を表示されている住所の地点情報と対応付けて記憶し、処理を終了する。また、ユーザの操作が終了の指示でない場合、データ処理装置１００は、他の処理（例えば、地図の拡大、縮小等）を実行し、処理状態をＳ１０４２に戻す。
【００６１】
図８に、メモリカードへの書き込み処理の処理フローを例示する。この処理は、地点情報管理画面２００にて、メニューバー２０２のファイルメニューから「メモリカードへ書き込む」というメニュー項目を選択することによって実行される。この処理では、データ処理装置１００は、まず、メモリカードへの書き込み対象とされた追加ＰＯＩデータを暗号化する（Ｓ２０１）。そして、データ処理装置１００は、標準ＰＯＩデータ、暗号化した追加ＰＯＩデータおよびアイコン、オープング画面、利用規約、お知らせ等のデータをメモリカードに書き込む（Ｓ２０２）。その後、データ処理装置１００は、処理を終了する。なお、ここでは、標準ＰＯＩデータは、データ処理装置１００にて、修正されたものと修正されていないものを一括してメモリカードに書き込むものとする。ただし、標準ＰＯＩデータのメモリカードへの書き込みは、そのような処理に限定されるわけではない。例えば、標準ＰＯＩデータのうち、データ処理装置１００で変更されたものを抽出して、メモリカードに書き込むようにしてもよい。また、標準ＰＯＩデータをメモリカードに書き込むか否かの確認をユーザに促した後、書き込みの指示があったときに書き込むにようにしてもよい。すなわち、ユーザが標準ＰＯＩデータの書き込みの指示を行わない場合には、データ処理装置１００にて、標準ＰＯＩデータが更新されても、メモリカードには反映しないようにしてもよい。
【００６２】
また、データ処理装置１００には、変更前の標準ＰＯＩデータを保存しておき、必要に応じて、メモリカードを初期状態に復旧するようにしてもよい。
【００６３】
（ナビゲーション装置の例）
次に、本データ処理装置１００によって作成されるデータを利用し、経路誘導処理を実行するナビゲーション装置１の構成を説明する。
【００６４】
〔ナビゲーション装置の構成〕
図９は、ナビゲーション装置１の構成図である。メインユニット２は、電子部品類で構成されており、ブレーキ検知部４、リバース検知部５、携帯式プレーヤインターフェース６、放送波受信部７、外部音声／映像入力部８、ＧＰＳ情報受信部９、車速検知部１０、カメラ映像入力部１１、アンプ１２、開閉制御部１３Ａ、角度制御部１３Ｂ、角度センサ１４、モータ１５、ＣＤドライブ１６、カードメモリインターフェース１７、リセットボタン１８、ジャイロセンサ１９、制御部２０が内蔵されている。ディスプレイユニット３は、主に、車両の乗員に対して各種の情報を映像で表示するとともに、ユーザ操作を受け付ける役割を司るデバイス類で構成されており、タッチパネル２１、表示処理部２２、操作受付部２３、操作ボタン２４、赤外線受／発光部２５を内蔵している。
【００６５】
制御部２０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。制御部２０は、車両のアクセサリー電源がオンになると、ＲＯＭに記録されたコンピュータプログラムを実行し、カードメモリインターフェース１７に挿入されたメモリカードのデータやＲＡＭに格納されているデータ等を使って各種機能を実現する。制御部２０が実現する各種機能の詳細については後述する。
【００６６】
次に、ディスプレイユニット３を構成する各構成要素について説明する。タッチパネル２１は、カラー液晶ディスプレイとタッチセンサとを組み合わせたＧＵＩ（Ｇｒａｐｈｉｃａｌ  Ｕｓｅｒ  Ｉｎｔｅｒｆａｃｅ）であり、７．０インチのＥＧＡ（Ｅｎｈａｎｃｅｄ  Ｇｒａｐｈｉｃｓ  Ａｄａｐｔｅｒ）型液晶ディスプレイで画面を表示すると共に、画面に表示されたアイコン等が押されるとタッチセンサがこれを検知する。
【００６７】
表示処理部２２は、タッチパネル２１の液晶ディスプレイに表示する画面を描画処理する回路である。表示処理部２２は、制御部２０から送られる映像信号に基づき、液晶ディスプレイに格子状に均等配列された薄膜トランジスタを駆動することで、タッチパネル２１の画面を描画する。
【００６８】
操作受付部２３は、タッチパネル２１へのタッチ操作をタッチセンサが感知すると、タッチされた画面上の位置を特定し、操作された位置の情報を制御部２０へ送る。
【００６９】
操作ボタン２４は、タッチパネル２１にアイコン表示されるボタンではなく、機械的なボタンであり、タッチパネル２１の下に配置される操作用の押しボタン式スイッチである。操作ボタン２４は、ディスプレイユニット３の左側から順に、開閉ボタン、現在地ボタン、音量調整ボタンで構成されている。音量調整ボタンは、右側が押されると音量アップ、左側が押されると音量ダウンになるように設定されている。これらのボタンが押されると、押されたボタンの信号が制御部２０へ送られる。
【００７０】
赤外線受／発光部２５は、ナビゲーション装置１と携帯電話とが赤外線で双方向通信を行うためのインターフェースであり、電気で赤外線を発光する発光素子と、受光した赤外線を電気にする受光素子で構成されている。赤外線受／発光部２５は、制御部２０から送られる制御信号やデータを携帯電話へ送るとともに、携帯電話から送られる制御信号やデータを制御部２０へ送る。
【００７１】
次に、メインユニット２の制御部が実現する各種諸機能について詳述する。図１０は、制御部２０が実現する各種機能部を図示した機能ブロック図である。車両のアクセサリー電源がオンになると、制御部２０は、図１０に示すような、初期処理機能部５０、操作処理機能部５１、測位機能部５２、ルート案内機能部５３、地図データ処理機能部５４、ユーザデータ処理機能部５５、音声処理機能部５６、及び映像処理機能部５７等を実現するコンピュータプログラムを実行する。
【００７２】
初期処理機能部５０は、ナビゲーション装置１の初期化処理を実行する。初期処理機能部５０は、初期化処理として、例えば、ナビゲーション装置１のハードウェア異常をチェックする。初期処理機能部５０は、ハードウェア異常を検知すると、この異常状態を示すコーション画面を表示するよう制御する。初期処理機能部５０は、初期化処理を継続しながら、オープニング画面を表示するように制御する。初期処理機能部５０は、初期化処理が完了すると、オープニング画面を閉じ、映像処理機能部５７に所定の画面を表示するように指示する。
【００７３】
操作処理機能部５１は、各種機能部の動作を制御するための操作画面を、映像処理機能部５７を介してタッチパネル２１に表示したり、操作受付部２３や操作ボタン２４、リセットボタン１８からの操作信号を処理し、各種機能部の動作を制御したりする。
【００７４】
測位機能部５２は、車両のアクセサリー電源がオンになると、ＧＰＳ情報受信部９から送られる衛星からの電波の情報、車速検知部１０から通知される車両速度の情報、及びジャイロセンサ１９から送られる角速度の情報に基づいて車両の位置（緯度と経度）を測位する。
【００７５】
ルート案内機能部５３は、車両の現在地からユーザが設定した目的地までのルートを索出し、ルート案内を行う機能部である。ルート案内機能部５３は、測位機能部５２が測位した車両の位置から目的地までの走行ルートを、カードメモリインターフェース１７に挿入されるメモリカードの地図データから索出する。ルート案内機能部５３は、索出した走行ルートと車両の位置との関係から車両の進路を決定し、この決定された進路に基づいてルートガイダンスのための音声データや地図画像データがメモリカードから読み出される。ルート案内機能部５３は、このように読み出された音声データを音声処理機能部５６に送り、地図画像データを映像処理機能部５７に送ることにより、音声及び映像によりルート案内を行う。
【００７６】
地図データ処理機能部５４は、メモリカードの標準記憶エリアから読み出される地図データやルート案内機能部５３が索出した走行ルートのデータ、放送波受信部７を介してＦＭ放送波から取得されるＶＩＣＳ（登録商標）の道路交通情報のデータ、測位機能部５２が測位した車両の位置データ等に基づき、タッチパネル２１に表示する地図のグラフィックデータを生成する。
【００７７】
ユーザデータ処理機能部５５は、ユーザが登録しようとする地点情報（例えば、返却場所の位置情報等）やルート検索の履歴情報、アイコンの表示非表示等の設定情報をＲＡＭで保持したり、ＲＡＭから読み出したりする。
【００７８】
音声処理機能部５６は、アンプ１２を介してスピーカから出力する音声の信号を処理する機能部である。すなわち、音声処理機能部５６は、放送波受信部７が受信したラジオ放送、携帯式プレーヤインターフェース６がプレーヤから取得するオーディオ信号、ＣＤドライブ１６が再生するオーディオ信号をアンプ１２へ送ったり、これらのオーディオ信号にルート案内機能部５３からのルートガイダンスの音声信号を重畳し、アンプ１２へ送っ
たりする。
【００７９】
映像処理機能部５７は、タッチパネル２１に表示させる映像データを生成する機能部である。すなわち、映像処理機能部５７は、操作処理機能部５１が生成する操作画面のデータと、地図データ処理機能部５４が生成する表示用地図の画面のデータとを重畳して表示処理部２２へ送ったり、放送波受信部７が受信したテレビジョン放送の映像データを表示処理部２２へ送ったり、或いはリバース検知部５による車両後退の検知に連動してカメラ映像入力部１１からの映像信号を表示処理部２２へ送ったりする。なお、映像処理機能部５７は、テレビジョン放送の映像データを表示処理部２２へ送っている際にブレーキ検知部４がパーキングブレーキの解除を検知すると、映像データの通知を止める。
【００８０】
〔ナビゲーション装置の動作例〕
以下、ナビゲーション装置１の動作例について説明する。
【００８１】
〈起動時〉
まず、ナビゲーション装置１の起動時の動作について図１１を用いて説明する。図１１は、ナビゲーション装置１の起動時の処理を示すフローチャートである。車両のアクセサリー電源がオンになり、ナビゲーション装置１に電力が供給されると、制御部２０は、ＲＯＭに格納されているコンピュータプログラムを実行する。このコンピュータプログラムが実行されることにより、図１０に示す各機能部がそれぞれ実現される。各機能部のうち、まず、初期処理機能部５０が動作する。
【００８２】
初期処理機能部５０は、初期化処理の一部としてカードメモリインターフェース１７が正常に動作していることを確認すると、そのカードメモリインターフェース１７にメモリカードが挿入されているか否かを確認する（Ｓ６１）。この確認は、例えば、メモリカード内の標準記憶エリアにアクセス可能か否かで判断される。初期処理機能部５０は、メモリカードが挿入されていないと判断すると（Ｓ６１；ＮＯ）、その旨を示すコーション（警告）画面を表示する（Ｓ６３）。メモリカードには地図データ等が格納されているため、メモリカードが挿入されていない場合、ナビゲーション装置１はナビゲーション機能を実行することができない。初期処理機能部５０は、このコーション画面によってメモリカードが挿入されていないことを注意喚起する。コーション画面は、予めＲＯＭに格納される画面データが初期処理機能部５０により読み出され、その画面データが映像処理機能部５７に送られることによりタッチパネル２１に表示される。
【００８３】
初期処理機能部５０は、メモリカードが挿入されていると判断すると（Ｓ６１；ＹＥＳ）、メモリカードのカスタマイズ記憶エリアに更新オープニング画面データが格納されているか否かを確認する（Ｓ６２）。初期処理機能部５０は、メモリカードに更新オープニング画面データが格納されていると判断すると（Ｓ６２；ＹＥＳ）、その更新オープニング画面データをメモリカードから読み出す（Ｓ６４）。一方、初期処理機能部５０は、メモリカードに更新オープニング画面データが格納されていないと判断すると（Ｓ６２；ＮＯ）、予めＲＯＭに格納されている既存のオープニング画面データを取得する（Ｓ６５）。初期処理機能部５０は、取得された更新オープニング画面データ又は既存のオープニング画面データを映像処理機能部５７に送ることにより、オープニング画面をタッチパネル２１に表示させる。すなわち、初期処理機能部５０は、メモリカードから更新オープニング画像データを取得することができた場合には、この更新オープニング画像データに基づいてオープニング画面を表示させ、更新オープニング画像データを取得することができなかった場合には、既存のオープニング画像データに基づいてオープニング画面を表示させる。
【００８４】
図１２は、既存オープニング画面が更新オープニング画面に変更される概念を示す図で
ある。Ｄ１００（１）が既存オープニング画面データに基づいて表示される既存オープニング画面であり、例えば、ナビゲーション装置１の製品名称が表示される。Ｄ１００（２）は、更新オープニング画面データに基づいて表示される更新オープニング画面である。図１２の例のように、ナビゲーション装置１を搭載するレンタカー会社は、Ｄ１００（２）のような自社名を強調するオープニング画面に変更したいと望む。このような場合、レンタカー会社の担当者は、Ｄ１００（２）のための更新オープニング画面データをデータ処理装置１００上で生成し、この生成されたデータをメモリカードに格納することで、所望のオープニング画面に変更することができる。ナビゲーション装置１が個人所有車や営業車輌に搭載される場合にも、同様に、好みの更新オープニング画面データを表示させるようにしてもよい。
【００８５】
ここで、更新オープニング画面データの構成について説明する。例えば、更新オープニング画面データは、図１２に示すように、中央部に表示される画像データ（Ｄ１００（２）−１）と、その周辺に表示される背景データ（Ｄ１００（２）−２）とから構成される。画像データ（１００（２）−１）は、ビットマップファイルとして生成され、背景データ（Ｄ１００（２）−２）は、ＲＧＢ色モデルのＲ値、Ｇ値、Ｂ値をそれぞれ格納するバイナリファイルとして生成される。画像データ（１００（２）−１）は、ビットマップ形式に限られず、ＰＮＧ（Portable Network Graphics）形式、ＧＩＦ（Graphic Interchange Format）形式、ＪＰＥＧ（Joint Photographic Experts Group）形式等で生成されて
もよい。背景データ（Ｄ１００（２）−２）は、ＲＧＢ色モデルに限られず、ＣＭＹＫ色モデルが利用されてもよい。このように、更新オープニング画面データは、全表示サイズよりも小さい画像を格納する画像データ（Ｄ１００（２）−１）と、その周辺の背景の色指定データ（Ｄ１００（２）−２）とで構成される。これにより、更新オープニング画面データのトータルデータサイズを小さくすることができ、データ容量が制限されるメモリカードにも格納可能となる。なお、データ容量の大きいメモリカードを利用することができる場合には、画像データＤ１００（２）−１のみで更新オープニング画面データを構成するようにしてもよい。
【００８６】
続いて、初期処理機能部５０は、メモリカード内のカスタマイズ記憶エリアに格納される他のアプリケーションデータを読み出す（Ｓ６７）。読み出されるアプリケーションデータには、利用規約データ、お知らせデータ、追加ＰＯＩデータ等が含まれる。これら読み出されるデータは、レンタカー会社等のユーザにより生成されたデータであるため、個人情報保護の観点から暗号化されていてもよい。上記更新オープニング画面データも同様に暗号化されていてもよい。初期処理機能部５０は、読み出されたデータが暗号化されている場合には、そのデータを所定の手法により復号する（Ｓ６８）。暗号化手法及び復号手法は公知の技術が利用されればよいため、ここでは説明を省略する。初期処理機能部５０は、メモリカードから読み出され、必要に応じて復号処理されたアプリケーションデータをＲＡＭに保持しておく。
【００８７】
初期処理機能部５０は、オープニング画面を表示しながら上述のような処理を含む所定の初期化処理を実行する。オープニング画面が表示されている間、制御部２０の他の各機能部では、次のような処理が実行される。操作処理機能部５１は、操作受付部２３や操作ボタン２４、リセットボタン１８からの信号を走査してユーザ操作を受け付ける。測位機能部５２は、ＧＰＳ情報受信部９で取得される測位情報や車速検知部１０、ジャイロセンサ１９の信号を処理し、車両の位置を測定する。地図データ処理機能部５４は、カードメモリインターフェース１７に挿入されているメモリカードへアクセスし、測位機能部５２が測位した自車位置の周辺の地図データを読み出す。初期処理機能部５０は、所定の初期化処理を完了するか又はオープニング画面を表示させてから所定の時間が経過するとオープニング画面を閉じるように映像処理機能部５７に指示する。これにより、オープニング画面は、ナビゲーション装置１が起動されてから数秒間表示される。
【００８８】
続いて、初期処理機能部５０は、メモリカードに格納されるアプリケーションデータに利用規約データが含まれているか否かを確認する（Ｓ６９）。初期処理機能部５０は、利用規約データが含まれていると判断すると（Ｓ６９；ＹＥＳ）、この利用規約データを映像処理機能部５７に送ることによりオープニング画面の次に利用規約画面を表示させる（Ｓ７０）。初期処理機能部５０は、アプリケーションデータに利用規約データが含まれていない場合には（Ｓ６９；ＮＯ）、利用規約画面を表示させない。
【００８９】
図１３は、利用規約画面の例を示す図である。このような画面を表示させることにより、ナビゲーション装置１を搭載するレンタカー会社は、レンタカー利用者にナビゲーション装置１の利用前にこの利用規約を再認識させることができる。利用規約画面（Ｄ１０１）において同意操作が行われると、この利用規約画面（Ｄ１０１）は閉じられる。利用規約画面（Ｄ１０１）は、初期処理機能部５０によりメモリカードから取得され保持されている利用規約データに基づいて生成される。利用規約データは、利用規約画面に表示される文字列情報を含むテキストファイルとして生成される。レンタカー会社の担当者は、利用規約画面に表示させたい文字列を含む利用規約データをデータ処理装置１００により生成し、この生成されたデータをメモリカードに格納することで、所望の利用規約画面を表示させることができる。逆に、利用規約画面を表示させる必要のない場合には、利用規約データをメモリカードに格納しなければよい。
【００９０】
初期処理機能部５０は、利用規約画面（Ｄ１０１）が閉じられると、映像処理機能部５７にＡＶの操作画面とナビの操作画面とを組み合わせたマルチ画面をタッチパネル２１に表示するように指示する（Ｓ７１）。
【００９１】
〈ナビゲーションメイン画面表示時〉
上述のような初期処理機能部５０による起動時処理（初期処理）が完了すると、以下に示すナビゲーション機能を実現する各メイン画面が表示される。図１４は、ナビゲーション装置１のメイン画面の画面遷移図である。マルチ画面（Ｄ１０２）、ナビ全画面（Ｄ１０３）、オーディオ全画面（Ｄ１０４）がナビゲーション装置１のナビゲーション機能を実現するメイン画面である。以降、図１４から１６を用いて、これらメイン画面に関連するナビゲーション装置１の動作について説明する。図１５はナビに関する画面遷移図である。図１６はＡＶ画面の表示モードを示した図である。
【００９２】
映像処理機能部５７は、初期処理機能部５０からマルチ画面の表示指示を受けると、ＲＯＭに格納されている操作ボタン類の画像データや地図データ処理機能部５４が読み出した地図データを基に、ＡＶの操作画面とナビの操作画面とを組み合わせたマルチ画面（Ｄ１０２）を生成し、このマルチ画面をタッチパネル２１に表示させる。図１７は、マルチ画面の例を示す図である。映像処理機能部５７は、図１７に示すように、ＡＶ類の操作ボタン類を配置したＡＶ領域の画面をタッチパネル２１の左側に表示し、ナビの地図や操作ボタン類を配置したナビ領域の画面をタッチパネル２１の右側に表示させる。ＡＶ領域は、更に、ソースを選択するための操作ボタン類をまとめて表示するソース選択領域と、選択されたソースに関連するボタンや情報を表示するソース操作領域とに区分されている。
【００９３】
図１７に示すように、映像処理機能部５７は、ＡＶ領域に、「ラジオ」、「ＣＤ」、「ｉＰｏｄ」、「外部入力」、「ＯＦＦ」、及び「ＡＶ」ボタンを表示させる。図１７の例では、「ラジオ」が選択されており、受信周波数やＡＭ／ＦＭの切り替えボタン、選局ボタン等が表示されている状態を図示している。従って、このとき、音声処理機能部５６は、放送波受信部７が受信したＡＭ放送の音声信号を、アンプ１２を介してスピーカから出力させている。なお、放送波受信部７にワンセグチューナが含まれている場合には、ＡＶ領域に、「ワンセグ」ボタンを表示するようにしてもよい。他方、映像処理機能部５７は
、ナビ領域に、地図データ処理機能部５４が読み出した地図データに基づいて描画される地図の他、「メニュー」、「目的地」、「周辺」、「返却場所」、「ナビ」、「地図拡大」、及び「地図縮小」ボタンを表示させる。
【００９４】
図１８は、ナビ全画面の例を示す図である。映像処理機能部５７は、マルチ画面（Ｄ１０２）に表示されている「ナビ」ボタンが押されたことを操作処理機能部５１が検知すると、ＡＶ領域を徐々に隠し、ナビ領域を全画面に表示させる。映像処理機能部５７は、図１８に示すように、ＡＶ領域を消し、ナビ領域をタッチパネル２１に全画面表示させる。
【００９５】
ナビ領域には、マルチ画面（Ｄ１０２）と同様、地図や、「メニュー」、「目的地」等の操作ボタンが表示されている。ここで、映像処理機能部５７は、ナビ全画面に表示される自車位置のアイコンが、ナビ領域の中心に位置するように画面を表示している。このため、タッチパネル２１の表示画面がマルチ画面（Ｄ１０２）からナビ全画面（Ｄ１０３）に遷移すると、自車位置のアイコンや地図の表示が、画面内で若干スクロールする。一方、映像処理機能部５７は、「メニュー」や「目的地」等の操作ボタン類がタッチパネル２１の表示画面上で同じ位置になるように画面を表示させる。このため、タッチパネル２１の表示画面がマルチ画面（Ｄ１０２）からナビ全画面（Ｄ１０３）に遷移しても、ナビの操作ボタン類がタッチパネル２１の画面上でスクロールせず、同じ位置に表示され続ける。但し、「ナビ」ボタンのみ「ＡＶ＋ナビ」ボタンに表示が変更される。「ＡＶ＋ナビ」ボタンが押されると、映像処理機能部５７は、ナビ全画面（Ｄ１０３）からマルチ画面（Ｄ１０２）へ表示を切り替える。
【００９６】
図１９は、ＡＶ全画面の例を示す図である。映像処理機能部５７は、マルチ画面（Ｄ１０２）に表示されている「ＡＶ」ボタンが押されたことを操作処理機能部５１が検知すると、ナビ領域を徐々に隠し、ＡＶ領域を全画面に表示させる。映像処理機能部５７は、図１９に示すように、ナビ領域を消し、ＡＶ領域をタッチパネル２１に全画面表示させる。
【００９７】
ＡＶ領域には、マルチ画面（Ｄ１０２）と同様、「ラジオ」、「ＣＤ」、「ｉＰｏｄ」、「外部入力」、及び「ＯＦＦ」ボタンがソース選択領域に表示されている。また、ＡＶ領域には、ソース操作領域が拡大されて、マルチ画面（Ｄ１０２）で表示されていなかった放送局の名称やプリセットの選局ボタン、チャンネル設定ボタンや音設定ボタンが表示されている。また、ＣＤドライブ１６にＣＤが挿入されていることを示す「ＣＤＩＮ」が表示されている。ここで、ＡＶ領域には、マルチ画面（Ｄ１０２）で表示されていた「ラジオ」等の操作ボタン類が同じ位置に表示されている。但し、「ＡＶ」ボタンのみ「ＡＶ＋ナビ」ボタンに表示が切り換わる。以下、マルチ画面（Ｄ１０２）とＡＶ全画面（Ｄ１０４）の両方で表示される領域を「ＡＶ通常領域」といい、ＡＶ全画面（Ｄ１０４）でのみ表示される領域を「ＡＶ拡張領域」という。「ＡＶ＋ナビ」ボタンが押されると、映像処理機能部５７は、ＡＶ全画面（Ｄ１０４）からマルチ画面（Ｄ１０２）へ表示を切り替える。なお、ＡＶ全画面（Ｄ１０４）では、ナビ領域が存在しないので、ＡＶ領域がマルチ画面（Ｄ１０２）の時よりも広い。そこで、ＡＶ全画面（Ｄ１０４）のソース操作領域には、そのソースに関わる全ての操作ボタンや情報が表示されるようになっている。このように、ＡＶ全画面（Ｄ１０４）の場合にのみ表示されるソースの操作ボタンや情報類の表示領域が「ＡＶ拡張領域」であり、ソース操作領域の一部を構成している。一方、マルチ画面（Ｄ１０２）とＡＶ全画面（Ｄ１０４）の何れにも表示されるソースの操作ボタンや情報類の表示領域が「ＡＶ通常領域」であり、ソース操作領域の一部とソース選択領域とを構成している。
【００９８】
図２０は、メイン画面の画面遷移の様子を示した概念図である。ユーザは、図２０に示すように、表示窓から覗き込むと見える右側の面（本実施形態でいうナビ画面に相当する）の上に、左側の面（本実施形態でいうＡＶ画面に相当する）が左側から抜き差しされる
ようなイメージで、ナビゲーション装置１のメイン画面を操作できる。よって、今どこにいるのかが判りやすく、安心して操作することができる。
【００９９】
次に、ナビゲーション装置１のＡＶ画面の表示モードについて説明する。図１６で示したように、ナビゲーション装置１のＡＶ画面には、ラジオモード、ＣＤモード、ｉＰｏｄモード、外部入力モード、及びオフモードの６つの画面が用意されている。映像処理機能部５７は、ＡＶ領域の左側に用意されている何れかのソース選択ボタン或いは「ＯＦＦ」ボタンが押されると、これに対応するモードのＡＶ操作画面を表示させる。映像処理機能部５７は、例えば、「ラジオ」ボタンが押されれば、図１７に示すようなラジオの周波数や選局ボタンを表示させる。ＣＤやｉＰｏｄボタンについても同様である。また、映像処理機能部５７は、「外部入力」ボタンが押されれば、ＡＶ領域に選局ボタン等を表示させると共に、ナビ領域の表示を外部音声／映像入力部８の映像に切り替える。但し、映像処理機能部５７は、ブレーキ検知部４がパーキングブレーキ信号の解除を検知した場合、放送波受信部７や外部音声／映像入力部８からの映像表示を止める。なお、放送波受信部７にワンセグチューナが含まれている場合には、ＡＶ画面にはワンセグモードが設けられ、「ワンセグ」ボタンが押されれば、ＡＶ領域に選局ボタン等を表示すると共に、ナビ領域の表示を放送波受信部７からの映像に切り替えるようにすればよい。
【０１００】
図１７に示されるマルチ画面（Ｄ１０２）及び図１９に示されるＡＶ全画面（Ｄ１０４）は、既存状態の画面である。ナビゲーション装置１を搭載するレンタカー会社は、メモリカードのカスタマイズ記憶エリアにお知らせデータを格納することにより、お知らせ画面を表示するための「お知らせ」ボタンをＡＶ通常領域に付加することができる。図２１は、「お知らせ」ボタンが付加されたマルチ画面（Ｄ１０２）の例を示す図である。図２１の例では、ＡＶ通常領域の「ＯＦＦ」ボタンの下の空き領域に「お知らせ」ボタンが表示されている。この場合、ＡＶ全画面（Ｄ１０４）においても同様の位置に「お知らせ」ボタンが表示される。
【０１０１】
図２２は、マルチ画面及びＡＶ全画面の表示処理を示すフローチャートである。映像処理機能部５７は、マルチ画面（Ｄ１０２）又はＡＶ全画面（Ｄ１０４）を表示させる際には、初期処理機能部５０によりメモリカードから読み出され保持されたお知らせデータの存在を確認する（Ｓ１７１）。映像処理機能部５７は、お知らせデータが存在する場合には（Ｓ１７１；ＹＥＳ）、マルチ画面（Ｄ１０２）及びＡＶ全画面（Ｄ１０４）のＡＶ通常領域に「お知らせ」ボタンを表示させる（Ｓ１７２）。一方で、映像処理機能部５７は、お知らせデータが存在しない場合には（Ｓ１７１；ＮＯ）、「お知らせ」ボタンを表示させない、即ち、各画面を既存状態で表示させる（Ｓ１７３）。
【０１０２】
図２３は、お知らせ画面の例を示す図である。マルチ画面（Ｄ１０２）及びＡＶ全画面（Ｄ１０４）のＡＶ通常領域に表示されている「お知らせ」ボタンが押されたことを操作処理機能部５１が検知すると、映像処理機能部５７は、図２３に示すようなお知らせ画面（Ｄ３０１）をタッチパネル２１に表示させる。映像処理機能部５７は、図２３に示すように、ＡＶ領域の「お知らせ」ボタンから立ち上がるように、お知らせ画面（Ｄ３０１）をポップアップ表示する。なお、ポップアップ表示とは、画面に表示されるボタンを押すと、そのボタンから立ち上がるように表示されることを示す。お知らせ画面（Ｄ３０１）は、初期処理機能部５０によりメモリカードから読み出され保持されているお知らせデータに基づいて生成される。お知らせデータは、お知らせ画面に表示される文字列情報を含むテキストファイルとして生成される。レンタカー会社の担当者は、お知らせ画面に表示させたい文字列を含むお知らせデータをパーソナルコンピュータ等により生成し、この生成されたデータをメモリカードに格納することで、所望のお知らせ画面を表示させることができる。逆に、お知らせ画面を表示させる必要のない場合には、お知らせデータをメモリカードに格納しなければよい。例えば、レンタカー会社は、レンタカー利用者から頻繁
に問い合わせのある事項をこのお知らせ画面に表示させるようにすれば、利用者からの問い合わせを減らすことができる。
【０１０３】
次に、ナビゲーション装置１のナビに関する画面について説明する。マルチ画面（Ｄ１０２）またはナビ全画面（Ｄ１０３）のナビ領域に表示されている「メニュー」ボタン、「目的地」ボタン、「周辺」ボタンがタッチパネル２１上で選択されたことを操作処理機能部５１が検知すると、映像処理機能部５７は、その選択されたボタンに対応する画面をタッチパネル２１上に表示させる。
【０１０４】
図２４は、メニュー画面（Ｄ２０１）の例を示す図である。操作処理機能部５１により「メニュー」ボタンが押されたことが検知されると、映像処理機能部５７は、図２４に示すメニュー画面（Ｄ２０１）をタッチパネル２１に表示させる。映像処理機能部５７は、図２４に示すように、ナビ領域の「メニュー」ボタンから立ち上がるようにメニュー画面（Ｄ２０１）をポップアップ表示する。ここで、映像処理機能部５７は、メニュー画面（Ｄ２０１）が「メニュー」ボタンから徐々に立ち上がるようにアニメーション表示し、更に、マルチ画面（Ｄ１０２）がメニュー画面（Ｄ２０１）の下側に見えるようにしている。このようなポップアップ表示とすることにより、ユーザは、メニュー画面がマルチ画面から遷移して表示されていることを視覚で容易に理解することが可能であり、安心して操作することができる。なお、メニュー画面（Ｄ２０１）には、アイコンや施設表示等のユーザ設定用ボタンや、お気に入り地点の編集用ボタンが表示される。ユーザが登録した地点情報は、ユーザデータ処理機能部５５により、制御部２０内のＲＡＭに記憶される。
【０１０５】
図２５及び２６は、目的地設定画面の例を示す図である。映像処理機能部５７は、「目的地」ボタンが押されたことを操作処理機能部５１が検知すると、目的地設定画面（Ｄ２０２）をタッチパネル２１に表示させる。目的地設定画面（Ｄ２０２）の表示手法は、上述のメニュー画面（Ｄ２０１）と同様である。目的地設定画面（Ｄ２０２）には、図２５及び２６に示されるように、複数の目的地選択方法に対応した複数のボタンが表示される。図２５及び２６は、目的地設定画面（Ｄ２０２）の右側に表示されるスクロールバー等を選択することにより切り替えられる。目的地選択方法としては、各ボタンに対応して、５０音、電話番号、住所、履歴、お気に入り、携帯連携、施設／ジャンル、先程の地図、マップコードを用いた選択方法が提供される。これら選択方法のうち、５０音、電話番号、住所、施設／ジャンル、マップコードを用いた選択方法では、メモリカード内の標準記憶エリアに格納されるＰＯＩデータ及びＰＯＩ詳細データが利用される。
【０１０６】
映像処理機能部５７は、操作処理機能部５１が目的地設定用の何れかのボタンが押されたことを検知すると、これに対応する画面を表示させる。映像処理機能部５７は、例えば、「５０音で探す」ボタンが押されれば文字入力用の画面を表示し、「住所で探す」ボタンが押されれば都道府県等を選択する画面を表示し、「携帯連携で探す」ボタンが押されれば赤外線受／発光部２５に携帯電話を近づけるようユーザに促す画面を表示し、「履歴で探す」ボタンが押されれば過去に検索したことのある目的地を表示する。赤外線受／発光部２５によって携帯電話から供される通信データには、目的地の緯度や経度、或いは住所や電話番号といった位置情報が含まれている。これらいずれかの設定方法により目的地が設定されると、ルート案内機能部５３は、測位機能部５２が計測する自車位置と目的地までの最短ルートを索出し、ルートガイドを開始する。
【０１０７】
図２７及び２８は、周辺施設検索画面の例を示す図である。映像処理機能部５７は、「周辺」ボタンが押されたことを操作処理機能部５１が検知すると、周辺施設検索画面（Ｄ２０３）をタッチパネル２１に表示させる。この表示方法は、上記目的地設定画面（Ｄ２０２）と同様のポップアップ表示である。周辺施設検索画面（Ｄ２０３）には、図２７及び２８に示されるように、検索対象の各カテゴリに対応した複数のボタンが表示される。
図２７及び２８は、周辺施設検索画面（Ｄ２０３）の右側に表示されるスクロールバー等を選択することにより切り替えられる。検索対象のカテゴリとしては、各ボタンに対応して、ガソリンスタンド、コンビニ（コンビニエンスストア）、駐車場、ファミレス（ファミリーレストラン）、銀行、ファーストフード、その他施設が提供される。これら検索される各施設は、メモリカード内の標準記憶エリアに格納されるＰＯＩデータ及びＰＯＩ詳細データが利用される。映像処理機能部５７は、操作処理機能部５１が検索対象のカテゴリに対応するボタンが押されたことを検知すると、そのカテゴリに属する施設（ＰＯＩ）を自車位置に近い施設から順に索出してリスト表示させる。
【０１０８】
上述したような目的地設定画面（Ｄ２０２）や周辺検索画面（Ｄ２０３）等で目的地が設定されると、ルート案内機能部５３によるルートガイドが開始される。ルート案内機能部５３は、測位機能部５２が計測する自車位置と、地図データ処理機能部５４がメモリカードから読み出す地図データとに基づいてルートの案内を行う。ルート案内機能部５３は、右折あるいは左折等を行う交差点に車両が接近したら、図２９に示すような交差点拡大画面（Ｄ２０４）を表示すると共に、音声処理機能部５６に経路案内用の音声データを渡す。図２９は、交差点拡大画面（Ｄ２０４）の例を示す図である。図２９に示すように、ナビ領域には交差点の拡大図が表示され、車両の進むべき進路が矢印で図示される。なお、このとき、ＡＶ領域には、オーディオ／ビジュアル用の操作ボタン類が表示されている。
【０１０９】
〈目的地設定時〉
次に、ナビゲーション装置１の目的地設定時の動作について説明する。ナビゲーション装置１は、目的地の設定方法として、上述したような目的地設定画面（Ｄ２０２）や周辺施設検索画面（Ｄ２０３）により設定する方法（以降、第１設定方法と表記する）と、マルチ画面（Ｄ１０２）やナビ全画面（Ｄ１０３）に表示されている「返却場所」ボタンが押されることにより予めレンタカーの返却先として登録されているレンタカー会社の営業所を目的地に設定する方法と、マルチ画面（Ｄ１０２）やナビ全画面（Ｄ１０３）のナビ領域に表示される地点アイコンを選択することによりその地点アイコンの示す地点を目的地に設定する方法（以降、第２設定方法と表記する）と、を提供する。これら方法により設定される目的地は、通常時には、メモリカードの標準記憶エリアに格納されるＰＯＩデータに含まれる１地点であり、ユーザデータ処理機能部５５により管理される。
【０１１０】
本実施形態におけるナビゲーション装置１は、目的地として設定可能な地点をレンタカー会社等のユーザにより追加し、あるいは既存の地点を修正することを可能としている。レンタカー会社の担当者は、データ処理装置１００により追加したい地点情報（追加ＰＯＩデータ）を生成し、メモリカードのカスタマイズ記憶エリアに格納することで、ナビゲーション装置１上でこの追加した地点を目的地として選択可能とさせることができる。追加ＰＯＩデータは、追加される各地点について、緯度情報及び経度情報のＰＯＩデータと、施設名称、住所、電場番号、ジャンル名等のＰＯＩ詳細データとをそれぞれ含むように生成される。以下、メモリカードの標準記憶エリアに格納されるＰＯＩデータ及びＰＯＩ詳細データを標準ＰＯＩデータとも表記する。一般的には、標準ＰＯＩデータには、コンビニエンスストアやガソリンスタンド等のような一般ユーザが立ち寄り易い施設や、人気スポット等のような有名な施設や大規模な施設が地点情報として含まれる。よって、ユーザは、新設された施設やスポット、自社の営業所等のように標準ＰＯＩデータに含まれておらず、目的地として設定したい地点情報を追加ＰＯＩデータに含める。ただし、標準ＰＯＩデータについても、地図上に表示される緯度経度情報は、前述の通りユーザにより修正可能である。
【０１１１】
以下、追加ＰＯＩデータがユーザから提供された場合のナビゲーション装置１の目的地設定時の動作例について、上記第１設定方法を用いる場面と第２設定方法を用いる場面と
に分けてそれぞれ詳述する。
【０１１２】
《第１設定方法》
図３０は、追加ＰＯＩデータが提供された場合の目的地設定画面の例を示す図である。図３１は、追加ＰＯＩデータが提供された場合の周辺施設検索画面を示す図である。図３０及び３１に示すように、追加ＰＯＩデータが提供されている場合の目的地設定画面及び周辺施設検索画面には、「追加データで探す」ボタンがそれぞれ追加される。具体的には、映像処理機能部５７は、目的地設定画面及び周辺施設検索画面を表示する際に、初期処理機能部５０によりメモリカードから読み出され保持されている追加ＰＯＩデータが存在するか否かを確認し、追加ＰＯＩデータが存在する場合に「追加データで探す」ボタンを表示させる。なお、追加ＰＯＩデータが提供されていない場合の目的地設定画面及び周辺施設検索画面は、図２６及び２８に示したとおりである。
【０１１３】
映像処理機能部５７は、操作処理機能部５１が「追加データで探す」ボタンが押されたことを検知すると、文字入力用の画面を表示する。映像処理機能部５７は、この文字入力用の画面において入力された文字列を操作処理機能部５１から取得し、この文字列を施設名称に含む地点を追加ＰＯＩデータから抽出する。図３２は、追加データ検索結果を表示する追加データ検索画面の例を示す図である。図３２は、追加ＰＯＩデータとして、標準ＰＯＩデータに含まれていない自社の営業所が設定されている例を示している。この追加データ検索画面（Ｄ４０１）では、ユーザによって追加された地点情報のみの中から所定条件で抽出された地点情報のリストが表示される。
【０１１４】
一方で、目的地設定画面及び周辺施設検索画面の「追加データで探す」ボタン以外のボタンが選択された場合には、標準ＰＯＩデータ及び追加ＰＯＩデータの両データの中から所望の地点が検索される。図３３は、追加ＰＯＩデータが提供されている場合の目的地設定画面及び周辺施設検索画面での検索処理を示すフローチャートである。ここでは、目的地設定画面の「５０音で探す」ボタンが押された場合を例に挙げる。
【０１１５】
映像処理機能部５７は、操作処理機能部５１が「５０音で探す」ボタンが押されたことを検知すると、文字入力用の画面を表示する。映像処理機能部５７は、この文字入力用の画面において入力された文字列を操作処理機能部５１から取得する（Ｓ２８１）。映像処理機能部５７は、メモリカードの標準記憶エリアに格納されるＰＯＩ詳細データからこの文字列を施設名称に含む地点（既存ＰＯＩ）を検索する（Ｓ２８２）。当該ＰＯＩ詳細データとＰＯＩデータとは各地点について関連付けられている。よって、このとき、映像処理機能部５７は、抽出された各地点についてＰＯＩデータとＰＯＩ詳細データ（施設名称、住所等）とをそれぞれ取得する。
【０１１６】
次に、映像処理機能部５７は、初期処理機能部５０によりメモリカードから読み出され保持されている追加ＰＯＩデータの存在を確認する（Ｓ２８３）。映像処理機能部５７は、追加ＰＯＩデータが存在する場合には（Ｓ２８３；ＹＥＳ）、追加ＰＯＩデータから入力された文字列を施設名称として含む地点（追加ＰＯＩ）を検索する（Ｓ２８４）。映像処理機能部５７は、その検索の結果、少なくとも１つの追加ＰＯＩが抽出された場合には（Ｓ２８５；ＹＥＳ）、検索結果を表示する画面に、抽出された追加ＰＯＩを上記取得されている既存ＰＯＩよりも優先的に表示する（Ｓ２８６）。具体的には、検索結果を表示する画面がリスト画面である場合には、追加ＰＯＩがリストの上部に表示され、既存ＰＯＩが追加ＰＯＩよりもリストの下部に表示される。検索結果を表示する画面がリスト画面でない場合には、例えば、追加ＰＯＩが既存ＰＯＩよりも見え易い態様で表示される。なお、追加ＰＯＩデータが存在しない場合（Ｓ２８３；ＮＯ）及び追加ＰＯＩデータは存在するが抽出された追加ＰＯＩが存在しない場合には、抽出された既存ＰＯＩのみが表示される（Ｓ２８７）。
【０１１７】
《第２設定方法》
次に、第２設定方法を用いる場面のナビゲーション装置１の目的地設定時の動作例を説明する。まず、追加ＰＯＩデータが提供されていない場合のナビゲーション装置１の動作を説明する。初期状態のナビゲーション装置１では、マルチ画面（Ｄ１０２）やナビ全画面（Ｄ１０３）のナビ領域には地点アイコンが表示されていない。ナビゲーション装置１は、図３４及び３５に示すような施設表示画面（Ｄ５０１）により選択されたカテゴリに属する施設を当該ナビ領域においてアイコン表示する。図３４及び３５は、施設表示画面の例を示す図である。
【０１１８】
映像処理機能部５７は、メニュー画面（Ｄ２０１）内の「施設表示」ボタンが押されたことを操作処理機能部５１が検知すると、施設表示画面（Ｄ５０１）をタッチパネル２１に表示させる。施設表示画面（Ｄ５０１）には、図３４及び３５に示されるように、各ジャンルに対応した複数のボタンが表示される。なお、図３４及び３５は、施設表示画面（Ｄ５０１）の右側に表示されるスクロールバー等を選択することにより切り替えられる。施設ジャンルとしては、各ボタンに対応して、ガソリンスタンド、コンビニ（コンビニエンスストア）、駐車場、ファミレス（ファミリーレストラン）、銀行、ファーストフード、その他施設が提供される。
【０１１９】
映像処理機能部５７は、施設表示画面（Ｄ５０１）においていずれかのボタンが選択され「表示」ボタンが押されたことを操作処理機能部５１が検知すると、この選択されたボタンに対応するジャンルに属する施設（ＰＯＩ）に関し、当該ナビ領域にアイコン表示させる。この各ＰＯＩのアイコンは、メモリカード内の標準記憶エリアに格納されるＰＯＩ詳細データに含まれる。図３６は、地点アイコンが表示されたマルチ画面の例を示す図である。図３６によれば、マルチ画面のナビ領域にガソリンスタンドのアイコン「ＧＳ」（Ｃ３０１）が表示されている。施設表示画面（Ｄ５０１）で「ガソリンスタンドを表示」ボタンが選択された場合にこのようなマルチ画面が表示される。なお、標準ＰＯＩデータに対して、図４で説明した通り、地図上に表示する位置（即ち、緯度、経度）が変更されている場合は、変更されていた位置にアイコンが表示される。
【０１２０】
映像処理機能部５７は、マルチ画面（Ｄ１０２）又はナビ全画面（Ｄ１０３）のナビ領域においていずれかの地点アイコンが選択されたことを操作処理機能部５１が検知すると、図３７に示されるように、当該ナビ領域に表示されていた「目的地」ボタン及び「周辺」ボタンを「ここに行く」ボタン及び「お気に入り」ボタンに変更する。図３７は、地点アイコンが選択された場合のマルチ画面の表示例を示す図である。映像処理機能部５７は、地点アイコンが選択された状態で「ここに行く」ボタンが押されたことを操作処理機能部５１が検知すると、その地点アイコンにより示される地点（ＰＯＩ）を目的地として設定するようにユーザデータ処理機能部５５に指示する。なお、地点アイコンが選択された状態で「お気に入り」ボタンが押された場合には、その地点アイコンにより示される地点をお気に入り情報として保持するようにユーザデータ処理機能部５５に指示する。
【０１２１】
次に、追加ＰＯＩデータが提供されている場合のナビゲーション装置１の動作を説明する。図３８は、ナビ画面の表示処理を示すフローチャートである。ナビ画面とは、ナビ領域に表示される画面を意味する。映像処理機能部５７は、ナビ画面を表示すると（Ｓ３３１）、初期処理機能部５０によりメモリカードから読み出され保持されている追加ＰＯＩデータの存在を確認する（Ｓ３３２）。映像処理機能部５７は、追加ＰＯＩデータが存在する場合には（Ｓ３３２；ＹＥＳ）、その追加ＰＯＩデータに含まれる地点（追加ＰＯＩ）をその追加ＰＯＩデータに含まれるアイコンデータを用いてアイコン表示する（Ｓ３３３）。なお、映像処理機能部５７は、追加ＰＯＩデータが存在しない場合には（Ｓ３３２；ＮＯ）、そのまま次の処理へ進む。次に、映像処理機能部５７は、上述した施設表示画
面（Ｄ５０１）によりアイコン表示すべき施設が選択されているか否かを確認する（Ｓ３３４）。映像処理機能部５７は、施設表示設定されている場合には（Ｓ３３４；ＹＥＳ）、その設定されている施設（既存ＰＯＩ）をアイコン表示する（Ｓ３３５）。映像処理機能部５７は、施設表示設定されていない場合には（Ｓ３３４；ＮＯ）、アイコン表示しない。
【０１２２】
つまり、ナビゲーション装置１は、追加ＰＯＩデータが提供されている場合には、施設表示画面（Ｄ５０１）で施設表示設定されていなくとも、常に、ナビ画面に追加ＰＯＩデータに含まれる地点（追加ＰＯＩ）をアイコン表示する。また、ナビゲーション装置１は、追加ＰＯＩデータが提供されており施設表示設定されている場合には、追加ＰＯＩデータに含まれる追加ＰＯＩと施設表示設定されている既存ＰＯＩとを共にアイコン表示する。図３９は、追加ＰＯＩと既存ＰＯＩとが共にアイコン表示されている場合のマルチ画面の例を示す図である。この場合には、図３９に示されるように、既存か追加か区別されることなく、ナビ画面には、既存ＰＯＩ（Ｃ３４１）と追加ＰＯＩ（Ｃ３４５及びＣ３４６）とが共に表示される。なお、ナビ画面に表示されている地点アイコンを選択して目的地設定する手法については上述したとおりである。
【０１２３】
なお、追加ＰＯＩデータが提供されている場合には、図４０に示されるように、施設表示画面（Ｄ５０１）に「追加データを表示」ボタンが表示される。図４０は、追加ＰＯＩデータが提供されている場合の施設表示画面の例を示す図である。施設表示画面（Ｄ５０１）の「追加データを表示」ボタンが選択され「表示」ボタン又は「解除」ボタンが押されると、当該ナビ領域に表示される追加ＰＯＩデータに基づく地点アイコンの表示、非表示を切り替えることができる。
【０１２４】
〔その他の動作例〕
追加ＰＯＩデータは、例えば、レンタカー会社が、レンタカーを返却する返却先を示す地点情報としても、利用できる。例えば、一般利用者向けの自宅を表示する自宅アイコンに代えて、返却先アイコンを用意し、画面に表示すればよい。また、メニュー画面上に、返却先を示すボタン等を用意すればよい。そして、返却先アイコンまたは返却先ボタンによって、返却先の地点を画面上に表示し、さらに、ユーザのルート案内の開始指示にしたがって、返却先への経路誘導処理を起動するようにすればよい。
【０１２５】
その他、追加ＰＯＩデータは、営業担当者、保守点検作業、保守作業担当等の巡回先を含むようにしてもよい。そして、ユーザによる「追加データを表示」ボタンにしたがって、追加ＰＯＩデータに定義された巡回先を画面に表示し、ユーザのルート案内の開始指示にしたがって、巡回先への経路誘導処理を起動するようにすればよい。
〔効果〕
以上述べたように、本実施形態のデータ管理装置によれば、ナビゲーション装置を導入して車両に搭載し、社員あるいはユーザ利用させる利用者企業が、独自の地点情報を追加し、目的地への経路誘導に提供することができる。また、利用者企業は、ナビゲーション装置の製造販売業者が提供する標準的な地点情報の位置情報を変更して、独自の地点情報を作成できる。例えば、観光地で営業するレンタカー会社が、その地域特有の観光地の地点情報を追加することができる。また、レンタカー会社が、車両の返却先を指定する地点情報を追加できる。また、営業担当者が利用する車両に対して、営業先、あるいは、巡回先の地点情報を追加し、または、地点情報の示す位置を変更できる。また、例えば、自動販売機のような保守点検作業、保守作業を要する設備の保守担当者が利用する車両に対して、巡回先の地点情報を追加でき、あるいは、標準的に配布される地点情報が示す位置をきめ細かく修正できる。また、地点情報あるいは地点情報を格納した媒体のリリース時期に拘束されることなく、営業所、巡回先の変更に応じて、即座に地点情報を変更することができる。
【０１２６】
さらに、これらの地点情報については、目的地の位置を示す座標として利用者企業所望の位置を座標編集画面３００によって設定できる。したがって、利用者企業の意向にしたがって、本来経路誘導すべき位置を設定できる。例えば、テーマパークへ行く場合の駐車場への示す地点情報を設定できる。したがって、利用者企業は、ユーザに対して、よりきめ細かく経路誘導を実施するシステムを提供できる。
【０１２７】
この場合に、利用者企業は、目的地として、独自のアイコンを編集し、その地点の位置に表示できる。したがって、追加の地点情報、利用者企業独自のアイコン、オープニング画面等により、きめ細かいサービス、利用者企業特有のきめ細かい機能をユーザに提供できる。例えば、利用者企業がレンタカー会社の場合、ユーザに提供するサービスを向上できる。また、利用者企業が営業担当者、保守担当者に、地域に分散する地点を巡回させる業務を実施する場合に、巡回効率を高めることができる。
【０１２８】
さらに、利用者企業によって追加された地点情報は、暗号化されてメモリカードに格納され、ナビゲーション装置１にて復号化されて内蔵フラッシュＲＯＭ２６に格納される。したがって、メモリカードが盗難あるいは紛失等にて不明となった場合でも、利用者企業によって追加された地点情報の漏洩を防止し、個人情報の保護を図ることができる。
【０１２９】
なお、以上の実施形態では車載用として説明したが、本発明は、車載用に利用できるものであれば如何なるものにも適用可能である。例えば、携帯型のナビゲーション機能を有する電子機器にも適用できる。
【図面の簡単な説明】
【０１３０】
【図１】データ管理システムの構成を例示する図。
【図２】データ処理装置のハードウェア構成を例示する図。
【図３】地点情報管理画面の表示例。
【図４】座標編集画面の表示例。
【図５】メモリカードに書き込まれる地点情報の例。
【図６】地点情報の追加処理の処理フローを例示する図。
【図７】座標編集処理の詳細を例示する図。
【図８】メモリカードへの書き込み処理の処理フローを例示する図。
【図９】ナビゲーション装置の構成図。
【図１０】制御部が実現する各種諸機能を示す機能ブロック図。
【図１１】ナビゲーション装置の起動時の処理を示すフローチャート。
【図１２】オープニング画面が変更される概念を示す図。
【図１３】利用規約画面の例を示す図。
【図１４】ナビゲーション装置のメイン画面の画面遷移図。
【図１５】ナビの画面遷移図。
【図１６】ＡＶ画面の表示モードを示す図。
【図１７】マルチ画面の例を示す図。
【図１８】ナビ全画面の例を示す図。
【図１９】ＡＶ全画面の例を示す図。
【図２０】メイン画面の画面遷移を示す概念図。
【図２１】「お知らせ」ボタンが付加されたマルチ画面の例を示す図。
【図２２】マルチ画面及びＡＶ全画面の表示処理を示すフローチャート。
【図２３】お知らせ画面の例を示す図。
【図２４】メニュー画面の例を示す図。
【図２５】目的地設定画面の例を示す図。
【図２６】目的地設定画面の例を示す図。
【図２７】周辺施設検索画面の例を示す図。
【図２８】周辺施設検索画面の例を示す図。
【図２９】交差点拡大画面の例を示す図。
【図３０】追加ＰＯＩデータが提供された場合の目的地設定画面の例を示す図。
【図３１】追加ＰＯＩデータが提供された場合の周辺施設検索画面の例を示す図。
【図３２】追加データ検索画面の例を示す図。
【図３３】追加ＰＯＩデータが提供されている場合の目的地設定画面及び周辺施設検索画面での検索処理を示すフローチャート。
【図３４】施設表示画面の例を示す図。
【図３５】施設表示画面の例を示す図。
【図３６】地点アイコンが表示されたマルチ画面の例を示す図。
【図３７】地点アイコンが選択された場合のマルチ画面の表示例を示す図。
【図３８】ナビ画面の表示処理を示すフローチャート。
【図３９】追加ＰＯＩと既存ＰＯＩとが共にアイコン表示されている場合のマルチ画面の例を示す図。
【図４０】追加ＰＯＩデータが提供されている場合の施設表示画面の例を示す図。
【符号の説明】
【０１３１】
１・・・ナビゲーション装置
２・・・メインユニット
３・・・ディスプレイユニット
１７・・カードメモリインターフェース
２０・・制御部
２１・・タッチパネル
２２・・表示処理部
２３・・操作受付部
２８・・カード挿入口
５０・・初期処理機能部
５１・・操作処理機能部
５２・・測位機能部
５３・・ルート案内機能部
５４・・地図データ処理機能部
５５・・ユーザデータ処理機能部
５６・・音声処理機能部
５７・・映像処理機能部
１０１・・ＣＰＵ
１０２・・メモリ
１０４・・ハードディスク駆動装置
１０６・・入力装置
１０８・・表示装置
１１０・・ネットワークインターフェース
１１２・・着脱可能媒体駆動装置
１１４・・メモリカード・リーダ・ライタ
【図１】
2010066228.tif 000003
【図２】
2010066228.tif 000004
【図３】
2010066228.tif 000005
【図４】
2010066228.tif 000006
【図５】
2010066228.tif 000007
【図６】
2010066228.tif 000008
【図７】
2010066228.tif 000009
【図８】
2010066228.tif 000010
【図９】
2010066228.tif 000011
【図１０】
2010066228.tif 000012
【図１１】
2010066228.tif 000013
【図１２】
2010066228.tif 000014
【図１３】
2010066228.tif 000015
【図１４】
2010066228.tif 000016
【図１５】
2010066228.tif 000017
【図１６】
2010066228.tif 000018
【図１７】
2010066228.tif 000019
【図１８】
2010066228.tif 000020
【図１９】
2010066228.tif 000021
【図２０】
2010066228.tif 000022
【図２１】
2010066228.tif 000023
【図２２】
2010066228.tif 000024
【図２３】
2010066228.tif 000025
【図２４】
2010066228.tif 000026
【図２５】
2010066228.tif 000027
【図２６】
2010066228.tif 000028
【図２７】
2010066228.tif 000029
【図２８】
2010066228.tif 000030
【図２９】
2010066228.tif 000031
【図３０】
2010066228.tif 000032
【図３１】
2010066228.tif 000033
【図３２】
2010066228.tif 000034
【図３３】
2010066228.tif 000035
【図３４】
2010066228.tif 000036
【図３５】
2010066228.tif 000037
【図３６】
2010066228.tif 000038
【図３７】
2010066228.tif 000039
【図３８】
2010066228.tif 000040
【図３９】
2010066228.tif 000041
【図４０】
2010066228.tif 000042